(57)【要約】【課題】取り付けが簡易にでき、個人認証情報等の利用を拡大し、操作性や利便性を向上できる車両用個人認証装置を提供すること。【解決手段】車両内のルームミラー位置に設けられ、又はルームミラー上に装着されて、虹彩の画像情報を取得する着脱可能情報取得部１１０と、着脱可能情報取得部が取得した虹彩の画像情報に基づいて個人認証を行う制御部１２０とを備え、着脱可能情報取得部１１０は、一部がハーフミラーとなっている鏡１１２および虹彩の画像情報を取得する虹彩カメラ１１３を有し、虹彩の画像情報は、ハーフミラーを通過して虹彩カメラ１１３によって撮像された虹彩の像に応じて生成される構成を有している。【選択図】  図１
2004189149.tif 000002
【特許請求の範囲】
【請求項１】
車両内のルームミラー上に装着されて、虹彩の画像情報を取得する着脱可能情報取得部と、前記着脱可能情報取得部が取得した虹彩の画像情報に基づいて個人認証を行う制御部とを備え、前記着脱可能情報取得部は、少なくとも一部がハーフミラーとなっている鏡および前記虹彩の画像情報を取得する虹彩カメラを有し、前記虹彩の画像情報は、前記ハーフミラーを通過して前記虹彩カメラによって撮像された前記虹彩の像に応じて生成されることを特徴とする車両用個人認証装置。
【請求項２】
前記個人認証の際に、前記着脱可能情報取得部のハーフミラーに映す虹彩の位置が前記ハーフミラーに表示されることを特徴とする請求項１に記載の車両用個人認証装置。
【請求項３】
前記着脱可能情報取得部は、前記ルームミラー位置から又は前記装着された位置から取り外すことができることを特徴とする請求項２に記載の車両用個人認証装置。
【請求項４】
前記車両用個人認証装置は、所定の記憶媒体に記憶された情報を読み込み又は前記制御部によって行われる制御に従って所定の情報を書き込むデータ入出力手段を備えたことを特徴とする請求項１又は請求項２に記載の車両用個人認証装置。
【請求項５】
前記データ入出力手段は、具体的設定項目等のいずれかを含む情報を前記制御部に設定することを特徴とする請求項４に記載の車両用個人認証装置。
【請求項６】
前記制御部は、前記車両の位置を検出する手段を有し、前記で検出した車両の位置を前記記憶媒体に記録し、前記車両の運転履歴を生成することが可能なことを特徴とする請求項４又は請求項５に記載の車両用個人認証装置。
【請求項７】
前記データ入出力手段に装着された前記記憶媒体は、前記個人認証で本人と認証されたときに前記データ入出力手段から取り外せることを特徴とする請求項５又は請求項６に記載の車両用個人認証装置。
【請求項８】
前記制御部は、登録された車両の使用者毎に予め設定された情報を記憶するカスタマイズ情報記憶手段を有し、前記車両用個人認証装置は、前記個人認証によって登録された車両の使用者であると認証された場合に、前記カスタマイズ情報記憶手段が記憶する情報に基づいて、認証された車両の使用者に応じて、機器の設定を行う機器カスタマイズ部を備えたことを特徴とする請求項１ないし請求項７のいずれかに記載の車両用個人認証装置。
【請求項９】
前記車両用個人認証装置は、携帯電話機としての機能、前記車両位置を決定する機能、又はＩＴＳ（Ｉｎｔｅｌｌｉｇｅｎｔ  Ｔｒａｎｓｐｏｒｔ  Ｓｅｒｖｉｃｅ）用の路上機と通信する機能を含む機能を有し、かつ、前記個人認証された車両の使用者の情報を外部の装置に送信するインテグレート通信部を備えたことを特徴とする請求項１ないし請求項８のいずれかに記載の車両用個人認証装置。
【請求項１０】
前記インテグレート通信部は、個人認証された本人が行う売買の決済に要する情報を外部の装置に送信することを特徴とする請求項９に記載の車両用個人認証装置。
【請求項１１】
前記インテグレート通信部は、前記車両の運転履歴を外部の装置に送信することを特徴とする請求項６に記載の車両用個人認証装置。
【発明の詳細な説明】
【０００１】
【発明の属する技術分野】
本発明は、車両内に設けられ、車両内の人の生体情報を取得して個人認証を行い、運転環境の調整等、所定の動作を行う車両用個人認証装置に関する。
【０００２】
【従来の技術】
従来、車両内の人の生体情報を取得して個人認証を行い、防犯等に利用する車両用個人認証装置が知られている（例えば、特許文献１、特許文献２、特許文献３、特許文献４参照。）。そして、特許文献４には、インストルメントパネル内に設けられた生体情報取得装置が開示されている。開示された生体情報取得装置は、生体情報を取得するのに虹彩カメラを使用し、虹彩カメラを含む光学系をインストルメントパネル内に収納し、インストルメントパネル内から生体情報を取得するものである。
【０００３】
また、従来の生体情報取得装置では、生体情報を取得して個人認証が行われ、個人認証結果が、所謂、イモビライザ制御等の防犯上や、ドアロック・解除等の安全性向上等に利用されるものであった。具体的には、イグニッション、燃料の流入、ドアロック・解除等を許諾または禁止する信号を対応する装置に出力するものであった。
【０００４】
【特許文献１】
特開２０００−３１１２２０号公報
【特許文献２】
特開２００１−２２７０１号公報
【特許文献３】
特開２０００−９９７８１号公報
【特許文献４】
特開２０００−１６８５０２号公報
【０００５】
【発明が解決しようとする課題】
しかし、このような従来の車両用個人認証装置では、生体情報を取得するための装置（カメラ）の光学系が、インストルメントパネル等の取り付けに手間取る部分に設けられるようになっており、簡易に取り付けることができないという問題があった。
また、個人認証結果が防犯上や安全性向上等に利用されるものであり、映像音声装置（ＡＶ機器）、通信装置、情報処理装置等を個人認証された人に応じて調整し、車両の利用者に快適な環境を提供することができないという問題があった。
さらに、個人情報や生体情報等の所定の情報を外部に取り出し、または外部から入力したり設定したりすることができるようになっておらず、操作性や利便性が低いという問題があった。
【０００６】
本発明はこのような問題を解決するためになされたもので、取り付けが簡易にでき、個人認証情報等の利用を拡大し、操作性や利便性を向上できる車両用個人認証装置を提供するものである。
【０００７】
【課題を解決するための手段】
本発明の車両用個人認証装置は、所定の取り付け手段を用いて車両内に設置され、虹彩の画像情報を取得する虹彩カメラと、前記虹彩カメラが取得した虹彩の画像情報に基づいて個人認証を行う制御部とを備えた構成を有している。
この構成により、虹彩カメラが取り付け手段を用いて車両内に設置できるため、取り付けが簡易にでき、個人認証情報等の利用を拡大し、操作性や利便性を向上できる車両用個人認証装置を実現することができる。
【０００８】
また、本発明の車両用個人認証装置は、車両内のルームミラー位置に設けられ、又は前記ルームミラー上に装着されて、虹彩の画像情報を取得する着脱可能情報取得部と、前記着脱可能情報取得部が取得した虹彩の画像情報に基づいて個人認証を行う制御部とを備え、前記着脱可能情報取得部は、一部がハーフミラーとなっている鏡および前記虹彩の画像情報を取得する虹彩カメラを有し、前記虹彩の画像情報は、前記ハーフミラーを通過して前記虹彩カメラによって撮像された前記虹彩の像に応じて生成される構成を有している。
この構成により、虹彩カメラがルームミラー位置等に設けられるため、取り付けが簡易にでき、個人認証情報等の利用を拡大し、操作性や利便性を向上できる車両用個人認証装置を実現することができる。
【０００９】
また、本発明の車両用個人認証装置は、前記個人認証の際に、前記着脱可能情報取得部のハーフミラーに映す虹彩の位置が前記ハーフミラーに表示されている構成を有している。
この構成により、虹彩の位置がハーフミラーに表示されるため、取り付けが簡易にでき、個人認証情報等の利用を拡大し、操作性や利便性を向上できる車両用個人認証装置を実現することができる。
【００１０】
また、本発明の車両用個人認証装置は、前記着脱可能情報取得部が、前記ルームミラー位置から又は前記装着された位置から取り外すことができる構成を有している。
この構成により、着脱可能情報取得部がルームミラー位置等から取り外すことができるため、取り付けが簡易にでき、個人認証情報等の利用を拡大し、操作性や利便性を向上できる車両用個人認証装置を実現することができる。
【００１１】
また、本発明の車両用個人認証装置は、前記車両用個人認証装置が、所定の記憶媒体に記憶された情報を読み込み又は前記制御部によって行われる制御に従って所定の情報を書き込むデータ入出力手段を備えた構成を有している。
この構成により、車両用個人認証装置に車両使用者の個人情報等を入力若しくは設定し、又は車両用個人認証装置で生成された情報を取り出すことができるため、取り付けが簡易にでき、個人認証情報等の利用を拡大し、操作性や利便性を向上できる車両用個人認証装置を実現することができる。
【００１２】
また、本発明の車両用個人認証装置は、前記データ入出力手段が、具体的設定項目等のいずれかを含む情報を前記制御部に設定する構成を有している。
この構成により、具体的設定項目等のいずれかを含む情報が制御部に設定されるため、より操作性や利便性を向上できる車両用個人認証装置を実現することができる。
【００１３】
また、本発明の車両用個人認証装置は、前記制御部が、前記車両の位置を検出する手段を有し、前記で検出した車両の位置を前記記憶媒体に記録し、前記車両の運転履歴を生成することが可能な構成を有している。
この構成により、記憶媒体に運転履歴を書き込み、記憶媒体を取り出して運転履歴の情報を利用できるため、より操作性や利便性を向上できる車両用個人認証装置を実現することができる。                    
【００１４】
また、本発明の車両用個人認証装置は、前記データ入出力手段に装着された前記記憶媒体は、前記個人認証で本人と認証されたときに前記データ入出力手段から取り外せる構成を有している。
この構成により、個人認証で本人と認証されなければデータ入出力手段に装着された記憶媒体を取り外すことができないため、記憶媒体に記憶された情報の改竄等の防止等、防犯上の効果を奏することが可能な車両用個人認証装置を実現することができる。
【００１５】
また、本発明の車両用個人認証装置は、前記制御部は、登録された車両の使用者毎に予め設定された情報を記憶するカスタマイズ情報記憶手段を有し、前記車両用個人認証装置は、前記個人認証によって登録された車両の使用者であると認証された場合に、前記カスタマイズ情報記憶手段が記憶する情報に基づいて、認証された車両の使用者に応じて、ハンドル位置、ハンドルの向き、座席の位置、座席の高さ、背もたれの向き、若しくはバックミラーの向きの調整、スピード制限の設定、又は、空気調節装置若しくは映像音声機器（ＡＶ機器）の設定を行う機器カスタマイズ部を備えた構成を有している。
この構成により、機器カスタマイズ部を設けて車両の各機器又は装置の調整、設定等を行うことができるため、より操作性や利便性を向上できる車両用個人認証装置を実現することができる。
【００１６】
また、本発明の車両用個人認証装置は、前記車両用個人認証装置は、携帯電話機としての機能、前記車両位置を決定する機能、又はＩＴＳ（Ｉｎｔｅｌｌｉｇｅｎｔ  Ｔｒａｎｓｐｏｒｔ  Ｓｅｒｖｉｃｅ）用の路上機と通信する機能を含む機能を有し、かつ、前記個人認証された車両の使用者の情報を外部の装置に送信するインテグレート通信部を備えた構成を有している。
この構成により、個人認証の情報を外部の装置に送信し、情報やサービスを受けることができるため、車両使用者に特化されたサービス等を受けることができ、より操作性や利便性を向上できる車両用個人認証装置を実現することができる。
【００１７】
また、本発明の車両用個人認証装置は、前記インテグレート通信部は、個人認証された本人が行う売買の決済に要する情報を外部の装置に送信する構成を有している。
この構成により、さらに決済処理をも行うことができるため、より操作性や利便性を向上できる車両用個人認証装置を実現することができる。
【００１８】
また、本発明の車両用個人認証装置は、前記インテグレート通信部は、前記車両の運転履歴を外部の装置に送信する構成を有している。
この構成により、運転履歴を外部の装置に送信するため、会社の管理や家族の情報利用の面で更なる効果を奏し、より操作性や利便性を向上できる車両用個人認証装置を実現することができる。
【００１９】
【発明の実施の形態】
以下、本発明の実施の形態について、図面を用いて説明する。
（第１の実施の形態）
図１は、本発明の第１の実施の形態に係る車両用個人認証装置の概略の構成を説明するための図である。図１において、車両用個人認証装置１００は、生体情報を取得するための着脱可能情報取得部１１０、着脱可能情報取得部１１０が取得した情報を処理し、所定のデータ処理や制御等の処理を行う制御部１２０、および着脱可能情報取得部１１０や制御部１２０の制御等に要する入力を行うためのリモコン部１３０とを含むように構成される。
【００２０】
ここで、着脱可能情報取得部１１０は、さらに、筐体１１１、鏡１１２、車両内の人（以下、「車両使用者」という。）の虹彩を映して虹彩の画像情報（以下、単に「虹彩画像情報」という。）を生成する虹彩カメラ１１３および動作状態についての所定の情報を表示するＬＥＤ表示手段１１４を含むように構成される。そして、着脱可能情報取得部１１０は、例えば、車両内のバックミラー（またはルームミラー）に取り付けられるようになっている。
【００２１】
ここで、筐体１１１には、着脱可能情報取得部１１０をバックミラー（またはルームミラー）に取り付けるための取り付け手段が設けられている。取り付け手段としてネジやボルト等を用い、バックミラー（またはルームミラー）に固定するのでも、または、クリップ等を用い、バックミラー（またはルームミラー）を挟むようにして取り付けるのでもよい。言うまでもなく、その他の治具を用い、その他の方法で取り付けるのでもよい。
【００２２】
鏡１１２は、バックミラー（またはルームミラー）として利用できると共に、鏡１１２の一部の領域に上記車両使用者の瞳を映す領域であることを示す表示（以下、単に「瞳合せ表示」という。）が施されている。そして、瞳合せ表示が施されている領域と近傍の領域を含む領域（以下、単に「ハーフミラー領域」という。）はハーフミラーとして機能し、ハーフミラー領域の裏側に設けられた虹彩カメラ１１３が虹彩を映すようになっている。具体的には、図１に示す虹彩カメラ１１３が位置する破線の丸で表した領域とするのでもよい。
【００２３】
虹彩カメラ１１３は、車両使用者の瞳が上記の瞳合せ表示のある領域に映るとき車両使用者の虹彩を好適に映すものとする。ここで、虹彩画像情報を用いた個人認証には、取得した虹彩画像情報によってどの程度虹彩を特定できるかが大きく影響するため、上記の瞳合せ表示を設けると共に、バックミラー（またはルームミラー）の角度を調整して適切に虹彩を撮像して虹彩画像情報を取得できるようになっている。
【００２４】
筐体１１１に設けられた虹彩カメラ１１３によって取得された虹彩画像情報は、例えば、図１に示すように有線で制御部１２０に出力されるようになっている。ここで、虹彩カメラ１１３と制御部１２０との間の通信は有線に限られるものではなく、無線で通信するのでもよい。
制御部１２０は、さらに、インターフェース手段１２１、車両使用者の虹彩画像情報等を記憶しておく不揮発性メモリ等の記憶手段１２２、および、着脱可能情報取得部１１０から出力された虹彩画像情報と記憶手段１２２に記憶された虹彩画像情報とを比較し、個人認証を行う虹彩データ処理手段１２３を含むように構成される。
【００２５】
ここで、インターフェース手段１２１は、着脱可能情報取得部１１０、リモコン部１３０、その他の外部の装置との有線通信または無線通信するための手段である。インターフェース手段１２１は、リモコン部１３０から送信される指示の信号を受信して虹彩データ処理手段１２３に出力すると共に、虹彩データ処理手段１２３から出力されたデータ等を外部の装置に送信するようになっている。
【００２６】
ここで、記憶手段１２２は、車両使用者の虹彩画像情報、制御に用いるデータその他のデータを保存するようになっている。ここで、車両使用者は、単独の人間に限定されるものではなく、複数の人間であってもよい。また、記憶手段１２２は、ＲＡＭ（Ｒａｎｄｏｍ  Ａｃｃｅｓｓ  Ｍｅｍｏｒｙ）等の揮発性メモリを含むように構成されるのでもよい。記憶手段１２２に記憶されている虹彩画像情報は、車両使用者の認証において参照される虹彩画像情報（以下、単に「参照虹彩画像情報」という。）として用いられる。
【００２７】
虹彩データ処理手段１２３は、着脱可能情報取得部１１０から出力された虹彩画像情報に対してフィルタ処理等の前処理を行うのでもよく、この前処理を施して得られた虹彩画像情報と記憶手段１２２に記憶された参照虹彩画像情報とを比較して個人認証をするのでもよい。
【００２８】
なお、制御部１２０を、映像音声装置（ＡＶ機器）等の取り付け位置に固定するのでもよいが、インストルメントパネル内に格納して外部から容易に取り外しができない場所に取り付けるのでもよい。また、制御部１２０を着脱可能情報取得部１１０やリモコン部１３０と切り離せるようにし、参照虹彩画像情報やパスワードの登録等の所定の操作を車外においてできるようにするのでもよい。
【００２９】
以下、本発明の第１の実施の形態に係る車両用個人認証装置１００の動作について説明する。まず、利用者が鏡１１２上の瞳合せ表示のある位置に虹彩を映し、リモコン部１３０から虹彩の撮影を指示する信号を入力すると、リモコン部１３０から入力された信号が制御部１２０経由で着脱可能情報取得部１１０に出力される。リモコン部１３０からの信号を受信して、着脱可能情報取得部１１０の虹彩カメラ１１３は、鏡１１２のハーフミラー領域を通過して入射する光を受光して虹彩画像情報を生成して制御部１２０に出力する。着脱可能情報取得部１１０から出力された虹彩画像情報と制御部１２０の記憶手段１２２に記憶された参照虹彩画像情報とが虹彩データ処理手段１２３によって比較され、個人認証が行われる。個人認証の結果、登録された車両使用者と認証された場合、制御部１２０から外部の装置の所定の信号が出力され、認証されない場合、制御部１２０から信号は出力されない。
【００３０】
以上説明したように、本発明の第１の実施の形態に係る装置は、虹彩カメラが取り付け手段を用いて車両内に設置できるため、取り付けが簡易にでき、個人認証情報等の利用を拡大し、操作性や利便性を向上できる。
また、虹彩カメラがルームミラー位置等に設けられるため、取り付けが簡易にでき、操作性や利便性を向上できる。
さらに、虹彩の位置がハーフミラーに表示されるため、操作性や利便性を向上できる車両用個人認証装置を実現することができる。
さらに、着脱可能情報取得部がルームミラー位置等から取り外すことができるため、個人認証情報等の利用を拡大し、操作性や利便性を向上できる車両用個人認証装置を実現することができる。
【００３１】
（第２の実施の形態）
図２は、本発明の第２の実施の形態に係る車両用個人認証装置の概略の構成を説明するための図である。車両用個人認証装置２００は、本発明の第１の実施の形態に係る車両用個人認証装置１００の着脱可能情報取得部１１０に、データ入出力手段２１５を付加した構成を有する。なお、本実施の形態では、データ入出力手段２１５が付加された着脱可能情報取得部１１０を着脱可能情報取得部２１０とする。データ入出力手段２１５は、例えば不揮発性半導体メモリを内部に有する記憶媒体が装着され、外部の装置からの指示によってこの記憶媒体に記憶されたデータを読み出し、またはこの記憶媒体にデータを書き込むようになっている。
【００３２】
データ入出力手段２１５は、制御部１２０のインターフェース手段１２１と通信可能に接続されている。そして、制御部１２０の虹彩データ処理手段１２３が、インターフェース手段１２１を介してデータ入出力手段２１５に装着された記憶媒体にアクセスしたり、上記の記憶媒体に記録された情報を制御部１２０の記憶手段１２２に書き込んで虹彩データ処理手段１２３がアクセスしたりできるようになっているのでもよい。
【００３３】
以下では、特に断らないときは、記憶媒体に記録された情報をデータ入出力手段２１５経由で読み込み、記憶手段１２２に書き込んでから虹彩データ処理手段１２３がアクセスするものとする。このようにして、制御部１２０がデータ入出力手段２１５に装着された記憶媒体の情報を読み込み、または、記憶媒体に所定の情報を書き込むことが可能となるが、読み出され、または書き込まれる情報を、例えば、テキストデータとするのでもよい。
【００３４】
記憶媒体からデータ入出力手段２１５経由で記憶手段１２２に書き込む情報を、例えば図３に示すように、認証された車両使用者の個人情報や、通信制御等に用いられるデータ、その他の設定データとするのでもよい。なお、図３に示した設定項目又は指示を、「具体的設定項目等」ともいう。図３における、（１）に記載の情報は、記憶媒体に記録された情報を記憶手段１２２に登録するか否かを指定するものである。（２）に記載された情報は、（３）に記載された「登録者名」を登録するか否かを指定するものである。その他の項目には、個人情報およびそれらの登録を行うか否かの情報が記載されている。言うまでもなく、図３に示す情報は、一例であり、これら以外の情報を含むのでも、これらの情報のうちの一部からなるものでもよい。なお、これらのデータの書込または登録は、リモコン部１３０を操作することによって行うのでもよい。
【００３５】
一方、制御部１２０からデータ入出力手段２１５の記憶媒体に、個人認証された車両使用者名、運転日、運転時間等の運転履歴を書き込むのでもよい。この場合、ＧＰＳ（Ｇｌｏｂａｌ  Ｐｏｓｉｔｉｏｎｉｎｇ  Ｓｙｓｔｅｍ）からの信号を受信して得られた、個人認証された車両使用者が運転する車両の位置情報を、上記の運転履歴に含むのでもよい。
【００３６】
また、データ入出力手段２１５は、ロック機構を有し、データ入出力手段２１５に装着された記憶媒体を取り出す際に個人認証を受けていなければ取り出すことができないようになっている。また、取り出す際の個人認証は、車両使用者のいずれかが受けた個人認証であればよく、実際に運転した車両使用者に限られるものではない。なお、車両使用者に車両の管理者をも含めるのでもよく、これによって、車両の全使用者に関する情報の設定、変更等の管理を、車両使用者に含まれる管理者が行うことが可能となる。
【００３７】
さらに、一定の場合には、記憶手段１２２に暗証番号を記憶しておき、暗証番号の照合を条件として取り出せるような態様とするのでもよい。具体的には、例えば、予め記憶手段１２２に暗証番号を記憶しておき、リモコン部１３０を介して第１の暗証番号を入力すると、暗証番号の照合を行うための表示がリモコン部１３０になされ、第２の暗証番号を入力すると上記の記憶媒体を取り出せるようするものである。
【００３８】
以上説明したように、本発明の第２の実施の形態に係る装置は、車両用個人認証装置に車両使用者の個人情報等を入力若しくは設定し、又は車両用個人認証装置で生成された情報を取り出すことができるため、個人認証情報等の利用を拡大し、操作性や利便性を向上できる。
また、具体的設定項目等のいずれかを含む情報が制御部に設定されるため、より操作性や利便性を向上できる。
さらに、記憶媒体に運転履歴を書き込み、記憶媒体を取り出して運転履歴の情報を利用できるため、より操作性や利便性を向上できる。
さらに、個人認証で本人と認証されなければデータ入出力手段に装着された記憶媒体を取り外すことができないため、記憶媒体に記憶された情報の改竄等の防止等、防犯上の効果を奏することができる。
【００３９】
（第３の実施の形態）
図４は、本発明の第３の実施の形態に係る車両用個人認証装置の概略の構成を説明するための図である。車両用個人認証装置４００は、本発明の第２の実施の形態に係る車両用個人認証装置２００に、入力スイッチ４１６、４１７、個人認証によって本人であると認証された場合に車両内の装置を認証された本人に適した設定に調整する機器カスタマイズ部４４０、および認証後に携帯電話、ＧＰＳ（Ｇｌｏｂａｌ  Ｐｏｓｉｔｉｏｎｉｎｇ  Ｓｙｓｔｅｍ）、ＩＴＳ（Ｉｎｔｅｌｌｉｇｅｎｔ  Ｔｒａｎｓｐｏｒｔ  Ｓｙｓｔｅｍ）を含む外部の通信装置等と通信するインテグレート通信部４５０を付加した構成を有する。なお、本実施の形態では、入力スイッチ４１６、４１７が付加された着脱可能情報取得部２１０を着脱可能情報取得部４１０とする。
【００４０】
ここで、入力スイッチ４１６、４１７は、所定の信号を入力するためのスイッチであり、制御部１２０が個人認証を行って車両使用者が登録された本人と認証された場合に、電源を投入する信号、イグニッションを「ＯＮ」してエンジンを始動する信号、その他の信号を入力するために設けられたものである。
【００４１】
機器カスタマイズ部４４０は、登録された車両使用者毎に予め設定された情報を保持する不揮発性メモリ等のカスタマイズ情報記憶手段を有し、車両使用者が本人であると認証された場合に、このカスタマイズ情報記憶手段に設定された情報に基づいて認証された本人に対応して設定されたように、車両内の機器を調整するようになっている。
【００４２】
具体的には、認証された車両使用者に応じて、ハンドル位置、ハンドルの向き、座席の位置、座席の高さ、背もたれの向き等、バックミラーの向きを調整したり、スピード制限の設定、又は、空気調節装置若しくは映像音声機器（ＡＶ機器）の設定空気調節装置（エアコン）や映像音声機器（ＡＶ機器）その他の電子機器の設定等を行うようになっている。言うまでもなく、他の機器の調整ができるようにするのでもよい。
【００４３】
インテグレート通信部４５０は、車両使用者が本人であると認証された場合に、外部の通信装置と通信し、所定の情報処理や出力処理等をする機能を有する機能拡張型の通信手段である。インテグレート通信部４５０には、予め、携帯電話としての機能、ＧＰＳからの信号を受信して車両位置を決定する機能、ＩＴＳ用に設けられた路上機等と通信して所定のサービスを受ける機能が設けられているのでもよい。そして、インテグレート通信部４５０は、車両使用者として登録された者の個人情報を外部の装置に出力する。ここで、車両用個人認証装置４００がこのような機能を備えることによって、車両使用者に応じた情報やサービスを外部から受けられるように外部のシステムがなっているものとする。具体的には、車両用個人認証装置４００から送信される認証された個人の個人情報を受信し、受信した個人情報に応じた情報等を車両用個人認証装置４００に送信する機能を少なくとも有するものとする。また、インテグレート通信部４５０と外部の装置との通信は、無線により双方向通信できるものとする。
【００４４】
また、その他のネットワーク上の装置や、店頭に設けられた決済装置（以下、単に「店頭決済装置」という。）等と通信して情報を取得したり、サービスを受けられたり、決済を行ったりできるのでもよい。
【００４５】
以下、店頭での決済の具体例を、所謂「ドライブスルー」方式で買い物をする場合を例に取り上げて説明する。まず、車両使用者が所定の商品を購入して決済するためにリモコン部１３０を操作して、制御部１２０に決済を指示する信号を出力する。次に、制御部１２０は、車両使用者が認証された本人か否かを判断し、認証された本人である場合、インターフェース手段１２１を介してインテグレート通信部４５０に決済のための通信、その他の情報処理を行うように指示する信号を出力する。言うまでも、認証された本人でなければ、その後の決済のための処理は行われないものとする。その際、虹彩データを、直接、決済用の装置に出力し、その場で虹彩データに基づいて本人か否かの認証を行うようになっているのでもよい。決済の可否を示す信号を出力して認証するのでは、この信号を偽造し易いため、偽造しにくい虹彩データを用いることによって、決済の安全性の向上を図ることができるからである。
【００４６】
次に、インテグレート通信部４５０は、決済に必要な所定の情報を店頭決済装置に送信し、店頭決済装置から送られてくる「決済が適切に行われたか否かの信号」を待つ。決済が適切に行われた旨の信号を受信したら決済処理は終了する。適切に行われなかった場合は、その旨を外部に出力する。その場合、インテグレート通信部４５０に表示手段を設けてその旨および理由等を表示するのでもよい。
【００４７】
また、インテグレート通信部４５０は、車両使用者の運転位置の時系列である運転履歴であって、データ入出力手段２１５または記憶手段１２２に記録されたものを外部の通信装置に送信できるようになっているのでもよい。また、会社や家族等の所定のものからの要求に応じて送信するのでもよい。
【００４８】
以上説明したように、本発明の第３の実施の形態に係る車両用個人認証装置は、機器カスタマイズ部を設けて車両の各機器又は装置の調整、設定等を行うことができるため、より操作性や利便性を向上できる。
また、個人認証の情報を外部の装置に送信し、情報やサービスを受けることができると共に決済処理をも行うことができるため、車両使用者に特化されたサービス等を受けることができ、より操作性や利便性を向上できる。
さらに、運転履歴を外部の装置に送信するため、会社の管理や家族の情報利用の面で更なる効果を奏し、より操作性や利便性を向上できる。
【００４９】
【発明の効果】
以上説明したように、本発明は、取り付けが簡易にでき、個人認証情報等の利用を拡大し、操作性や利便性を向上できる車両用個人認証装置を実現することができる。
【図面の簡単な説明】
【図１】本発明の第１の実施の形態に係る車両用個人認証装置の概略の構成を説明するための図
【図２】本発明の第２の実施の形態に係る車両用個人認証装置の概略の構成を説明するための図
【図３】制御部に登録される個人情報その他の設定データの一例を示す図
【図４】本発明の第３の実施の形態に係る車両用個人認証装置の概略の構成を説明するための図
【符号の説明】
１００、２００、４００  車両用個人認証装置
１１０、２１０、４１０  着脱可能情報取得部
１１１  筐体
１１２  鏡
１１３  虹彩カメラ
１１４  ＬＥＤ表示手段
１２０  制御部
１２１  インターフェース手段
１２２  記憶手段
１２３  虹彩データ処理手段
１３０  リモコン部
２１５  データ入出力手段
４１６、４１７  入力スイッチ
４４０  機器カスタマイズ部
４５０  インテグレート通信部
【図１】
2004189149.tif 000003
【図２】
2004189149.tif 000004
【図３】
2004189149.tif 000005
【図４】
2004189149.tif 000006